(57)【要約】【課題】電力ピーク時間帯に電力消費の削減を行う際に生じる低温ショーケースの諸問題を解決する。【解決手段】低温ショーケースの陳列室内の温度を検出する庫内温度センサ４１と、この庫内温度センサの出力に基づき、陳列室内の温度が設定温度となるよう圧縮機２２の運転周波数を制御する制御装置４６とを備え、この制御装置は、所定の電力ピーク時間帯において、陳列室内の温度に拘わらず、圧縮機２２を所定の低い運転周波数にて運転する低速運転制御を実行する。【選択図】図４
2014062721.tif 000002
【特許請求の範囲】
【請求項１】
圧縮機、凝縮器及び冷却器を有する冷凍装置の前記冷却器と熱交換した冷気により陳列室内を冷却して成る低温ショーケースにおいて、
前記陳列室内の温度を検出する庫内温度センサと、該庫内温度センサの出力に基づき、前記陳列室内の温度が設定温度となるよう前記圧縮機の運転周波数を制御する制御装置とを備え、
該制御装置は、所定の電力ピーク時間帯において、前記陳列室内の温度に拘わらず、前記圧縮機を所定の低い運転周波数にて運転する低速運転制御を実行することを特徴とする低温ショーケース。
【請求項２】
前記制御装置は、前記電力ピーク時間帯に入った時点で前記低速運転制御を開始すると共に、当該低速運転制御を開始する以前に、前記圧縮機の運転周波数を上昇させる高速運転制御を実行することを特徴とする請求項１に記載の低温ショーケース。
【請求項３】
前記冷却器からのドレン水を蒸発させるための蒸発皿を備え、前記冷凍装置は、前記蒸発皿を加熱する蒸発皿パイプを有することを特徴とする請求項１又は請求項２に記載の低温ショーケース。
【請求項４】
前記蒸発皿に設けられた吸水性の蒸発部材と、前記圧縮機、凝縮器及び蒸発皿に通風する凝縮器用送風機とを備え、前記制御装置は、前記低速運転制御中も前記凝縮器用送風機を運転することを特徴とする請求項３に記載の低温ショーケース。
【請求項５】
前記制御装置は、所定の低速運転復帰温度を有し、前記電力ピーク時間帯が経過した時点で前記陳列室内の温度が前記低速運転復帰温度まで上昇していない場合、前記低速運転制御を継続することを特徴とする請求項１乃至請求項４のうちの何れかに記載の低温ショーケース。
【請求項６】
前記制御装置は、前記電力ピーク時間帯に入った時点で前記陳列室内の温度が前記低速運転復帰温度以上である場合、前記低速運転制御を開始しないことを特徴とする請求項５に記載の低温ショーケース。
【請求項７】
前記制御装置は、所定の異常高温復帰温度を有し、前記低速運転制御を実行している場合に、前記陳列室内の温度が前記異常高温復帰温度まで上昇した場合、前記低速運転制御を終了することを特徴とする請求項１乃至請求項６のうちの何れかに記載の低温ショーケース。
【発明の詳細な説明】
【技術分野】
【０００１】
本発明は、圧縮機、凝縮器及び冷却器を有する冷凍装置の冷却器により、商品を陳列する陳列室内を冷却する低温ショーケースに関するものである。
【背景技術】
【０００２】
従来より例えばコンビニエンスストア等の店舗のレジ前には、前面が開放された小型のオープンショーケースが設置されている。このオープンショーケースの陳列室内には複数段の棚が架設され、各棚に飲料等の商品を陳列すると共に、陳列室内には圧縮機と共に冷凍装置を構成する冷却器と熱交換した冷気を循環し、設定温度に冷却するよう構成されていた（例えば、特許文献１参照）。
【先行技術文献】
【特許文献】
【０００３】
【特許文献１】特開２０１０−５７８０７号公報
【発明の概要】
【発明が解決しようとする課題】
【０００４】
ここで、昨今の電力事情の逼迫状況から、電力需要がピークとなる昼間の例えば１２時〜１４時等の電力ピーク時間帯において、この種低温ショーケースの電力消費削減の要望が高まっている。
【０００５】
従来、例えば自動販売機等の庫内の周囲が全て断熱された機器では、係る電力ピーク時間帯に入る以前に、冷凍装置によって庫内を冷やしこむ運転を行っておき、電力ピーク時間帯に入ったときには冷凍装置の運転を停止するピークカット制御が行われていた。図７は係るピークカット制御を説明するタイミングチャートである。この図の横軸は時間軸であり、時間の経過に伴う商品温度（自動販売機の場合には庫内の商品収納コラム内に充填された商品の温度であるが、実際には庫内温度）と消費電力の変化を示している。
【０００６】
この図において定常運転とは庫内に基づいた圧縮機の運転周波数制御であり、電力ピーク時間帯が昼の１２時から１４時までとすると、この１２時の所定時間前から圧縮機の運転周波数を高くして高速運転を行い、庫内の冷やしこみをおこなう。その後、１２時から圧縮機は停止され、冷却運転停止となる。そして、１４時になった時点で定常運転に復帰するというものである。
【０００７】
このようなピークカット制御では、商品温度は定常運転中設定温度であったものが冷やしこみで一時低下し、その後の冷却運転停止で設定温度以上まで上昇していき、定常運転に復帰した時点から再び降下するという変化を示す。庫内の周囲が全て断熱された機器では、外部からの熱影響が少ないため、冷却運転停止中の庫内温度上昇も許容できる程度にとどまっていた。一方、圧縮機の消費電力は、高速運転中は上昇するものの、電力ピーク時間帯は零となり、電力消費の削減が行われるものであった。
【０００８】
しかしながら、低温ショーケースの場合、前記特許文献１のようなオープンショーケースでは陳列室が開放されているため、電力ピーク時間帯に入る以前に陳列室内を冷やしこんだとしても、当該冷やし込み自体の効果がさほど期待できないのに加え、図７のようなピークカット制御で冷凍装置を停止してしまうと、陳列室内からの冷気の漏洩や陳列室内への暖気の流入等の外部からの影響によって陳列室内の温度が許容することができない程の異常高温まで上昇してしまう。
【０００９】
また、この種低温ショーケースでは、どうしても外部からの湿気の流入が多くなるため、冷却器には多量の着霜が成長する。この着霜は霜取運転によって融解除去し、この融解により生じたドレン水は蒸発皿にて受容し、冷凍装置の蒸発皿パイプ等によって加熱蒸発させて処理するものであるが、電力ピーク時間帯に冷凍装置を停止してしまうと、蒸発皿の加熱や蒸発の促進機能も停止してしまうため、蒸発皿からドレン水が溢れ出す危険性があった。
【００１０】
そして、この問題は係るオープンショーケースに限らず、断熱性能が低く、外部からの温度影響が大きくなるガラス扉によって陳列室内が開閉自在に閉塞されるタイプの低温ショーケースにおいても同様に発生するものであった。
【００１１】
本発明は、係る電力ピーク時間帯に電力消費の削減を行う際に生じる低温ショーケースの諸問題を解決することを目的とする。
【課題を解決するための手段】
【００１２】
本発明の低温ショーケースは、圧縮機、凝縮器及び冷却器を有する冷凍装置の冷却器と熱交換した冷気により陳列室内を冷却して成るものであって、陳列室内の温度を検出する庫内温度センサと、この庫内温度センサの出力に基づき、陳列室内の温度が設定温度となるよう圧縮機の運転周波数を制御する制御装置とを備え、この制御装置は、所定の電力ピーク時間帯において、陳列室内の温度に拘わらず、圧縮機を所定の低い運転周波数にて運転する低速運転制御を実行することを特徴とする。
【００１３】
請求項２の発明の低温ショーケースは、上記発明において制御装置は、電力ピーク時間帯に入った時点で低速運転制御を開始すると共に、当該低速運転制御を開始する以前に、圧縮機の運転周波数を上昇させる高速運転制御を実行することを特徴とする。
【００１４】
請求項３の発明の低温ショーケースは、上記各発明において冷却器からのドレン水を蒸発させるための蒸発皿を備え、冷凍装置は、蒸発皿を加熱する蒸発皿パイプを有することを特徴とする。
【００１５】
請求項４の発明の低温ショーケースは、上記発明において蒸発皿に設けられた吸水性の蒸発部材と、圧縮機、凝縮器及び蒸発皿に通風する凝縮器用送風機とを備え、制御装置は、低速運転制御中も凝縮器用送風機を運転することを特徴とする。
【００１６】
請求項５の発明の低温ショーケースは、上記各発明において制御装置は、所定の低速運転復帰温度を有し、電力ピーク時間帯が経過した時点で陳列室内の温度が低速運転復帰温度まで上昇していない場合、低速運転制御を継続することを特徴とする。
【００１７】
請求項６の発明の低温ショーケースは、上記発明において制御装置は、電力ピーク時間帯に入った時点で陳列室内の温度が低速運転復帰温度以上である場合、低速運転制御を開始しないことを特徴とする。
【００１８】
請求項７の発明の低温ショーケースは、上記各発明において制御装置は、所定の異常高温復帰温度を有し、低速運転制御を実行している場合に、陳列室内の温度が異常高温復帰温度まで上昇した場合、低速運転制御を終了することを特徴とする。
【発明の効果】
【００１９】
本発明によれば、圧縮機、凝縮器及び冷却器を有する冷凍装置の冷却器と熱交換した冷気により陳列室内を冷却して成る低温ショーケースにおいて、陳列室内の温度を検出する庫内温度センサと、この庫内温度センサの出力に基づき、陳列室内の温度が設定温度となるよう圧縮機の運転周波数を制御する制御装置とを備え、この制御装置が、所定の電力ピーク時間帯において、陳列室内の温度に拘わらず、圧縮機を所定の低い運転周波数にて運転する低速運転制御を実行するようにしたので、圧縮機の電力消費を低く抑えつつ、陳列室内の最低限の冷却を行うことができるようになる。
【００２０】
これにより、外部からの影響の大きい低温ショーケースにおいて、電力ピーク時間帯における電力消費を削減しながら、陳列室内の異常温度上昇を抑制し、陳列商品の結露等による品質に与える悪影響を未然に解消若しくは抑制することが可能となるものである。
【００２１】
この場合、請求項２の発明の如く電力ピーク時間帯に入った時点で低速運転制御を開始する制御装置が、当該低速運転制御を開始する以前に、圧縮機の運転周波数を上昇させる高速運転制御を実行するようにすれば、低速運転制御に入る以前に陳列室内の冷やしこみを行っておくことが可能となり、低速運転制御中における陳列室内の温度上昇をより一層効果的に抑制することができるようになる。
【００２２】
また、請求項３の発明の如く冷却器からのドレン水を蒸発させるための蒸発皿を備え、冷凍装置が、蒸発皿を加熱する蒸発皿パイプを有する低温ショーケースにおいては、低速運転制御中にも蒸発皿パイプは加熱能力を発揮することになるので、蒸発皿内のドレン水の処理能力が停止してしまうことは無く、最低限の処理能力を確保して、ドレン水の溢出を回避することができるようになる。
【００２３】
更に、請求項４の発明の如く蒸発皿に設けられた吸水性の蒸発部材と、圧縮機、凝縮器及び蒸発皿に通風する凝縮器用送風機とを備えている場合、制御装置が低速運転制御中も凝縮器用送風機を運転するようにすれば、冷凍装置の冷凍能力を支障無く維持しながら、蒸発皿におけるドレン水の蒸発処理能力も維持して、ドレン水の溢出をより効果的に解消することができるようになる。
【００２４】
尚、電力ピーク時間帯が経過した後も、陳列室内がある程度冷えていれば、圧縮機を低い運転周波数で運転しても支障はない。そこで、請求項５の発明の如く制御装置が所定の低速運転復帰温度を有し、電力ピーク時間帯が経過した時点で陳列室内の温度が低速運転復帰温度まで上昇していない場合、低速運転制御を継続するようにすれば、電力ピーク時間帯が経過した後も、陳列室内の温度が低速運転復帰温度に上昇するまで低速運転制御を継続することができるようになり、より一層電力消費を削減することができるようになる。
【００２５】
一方、請求項６の発明の如く制御装置が、電力ピーク時間帯に入った時点で陳列室内の温度が低速運転復帰温度以上である場合、低速運転制御を開始しないようにすれば、元々陳列室内の温度が高い状況で低速運転制御が開始されてしまう不都合を未然に回避し、陳列室内の異常温度上昇の発生を防止することができるようになる。
【００２６】
他方、電力ピーク時間帯に多量の商品が陳列室内に補充されたような場合には、陳列室内の負荷が増大するために、圧縮機の低い運転周波数では冷凍能力が大幅に不足し、陳列室内の温度は急激に上昇するようになる。そこで、請求項７の発明の如く制御装置が所定の異常高温復帰温度を有し、低速運転制御を実行している場合に、陳列室内の温度が異常高温復帰温度まで上昇した場合、低速運転制御を終了するようにすれば、係る負荷増大時にも陳列室内の温度が異常に上昇して陳列商品の品質が劣化してしまう不都合を回避することができるようになるものである。
【図面の簡単な説明】
【００２７】
【図１】本発明を適用した一実施例の低温ショーケースの斜視図である。
【図２】図１の低温ショーケースの縦断側面図である。
【図３】図１の低温ショーケースの機械室部分の平断面図である。
【図４】図１の低温ショーケースの冷凍装置の冷媒回路と制御装置の電気回路を示す図である。
【図５】図４の制御装置が実行するピークダウン制御の一実施例を示すタイミングチャートである。
【図６】図４の制御装置が実行するピークダウン制御の他の実施例を示すタイミングチャートである。
【図７】従来のピークカット制御を説明するタイミングチャートである。
【発明を実施するための形態】
【００２８】
以下、本発明の実施の形態について、図面に基づき詳細に説明する。図１乃至図３において実施例の低温ショーケース１は、例えばコンビニエンスストア等の店舗のレジ前に設定されて商品を冷却しながら陳列する小型のオープンショーケースであり、前面に開口を有する断面略コ字状の断熱壁から成る本体２と、この本体２の左右に立設された断熱側板３、３から構成されている。
【００２９】
本体２は前面に開口する鋼板製の外箱４と、この外箱４内に間隔を存して組み込まれた前面に開口する鋼板若しくは硬質合成樹脂製の内箱６と、外箱４及び内箱６間に発泡充填された発泡ポリウレタンから成る断熱材７とから構成されている。
【００３０】
そして、内箱６の内方には、両断熱側板３、３と共に囲繞されて前方が開放された陳列室８が構成されている。陳列室８内の後部には、本体２の背壁２Ｂと所定間隔を存して仕切板９が取り付けられ、また、陳列室８の天部には、本体２の天壁２Ｃと所定間隔を存して天部仕切板１１が取り付けられている。更に、陳列室８の底部には、本体２の底壁２Ａと所定間隔を存してデックパン１２が取り付けられている。これら仕切板９と背壁２Ｂ間、天部仕切板１１と天壁２Ｃ間、デックパン１２と底壁２Ａ間には、一連のダクト１３が形成されている。
【００３１】
このダクト１３内には冷凍装置Ｒの周知の冷媒回路を構成する冷却器１４が縦設されると共に、ダクト１３の上部前端には、陳列室８の前面開口上縁より冷気を吐出する冷気吐出口１６が形成され、ダクト１３の下部前端には、陳列室８の前面開口下縁より冷気を吸い込む冷気吸込口１７が形成されている。また、デックパン１２下方に形成されるダクト１３内には、冷気循環用送風機１８が配設されている。尚、図中１９は陳列室３内に複数段架設される商品陳列用の棚である。
【００３２】
これにより、陳列室８内の冷気は、冷気循環用送風機１８によって冷気吸込口１７よりダクト１３内に吸い込まれ、冷却器１４方向に吹き出され、冷却器１４と熱交換して冷却された冷気は、ダクト１３内を上昇して冷気吐出口１６から陳列室８内に吐出される循環を行う。尚、本体２の前面開口上部には蛍光灯２０が取り付けられている。
【００３３】
一方、本体２の下方には断熱側板３、３間に位置して機械室２１が形成されている。この機械室２１内には、図２及び図３に示すように前記冷却器１４と共に冷凍装置Ｒの冷媒回路を構成する圧縮機２２、凝縮器２３等と、それらに送風する凝縮器用送風機２４、冷却器１４の霜取時に発生するドレン水（霜が融解した水）や陳列室８内から排出されるドレン水（露水等）を蒸発処理する蒸発皿２６が設けられている。この蒸発皿２６内には格子状に組み立てられた吸水性の蒸発部材２７が設けられており、凝縮器用送風機２４による風はこの蒸発皿２６及び蒸発部材２７にも送られる構成とされている（尚、図３では蒸発皿２６を透視して後述する蒸発皿パイプ３２を表示しているものとする）。
【００３４】
次に、図４を用いて冷凍装置Ｒの冷媒回路を説明する。圧縮機２２はインバータにて運転周波数（回転数）を可変制御されるインバータコンプレッサであり、冷却用のディスーパヒータ３１を備え、この圧縮機２２の吐出配管は蒸発皿パイプ３２に接続されている。この蒸発皿パイプ３２は前記蒸発皿２６の下側に配置されて蒸発皿２６を加熱する高温冷媒パイプである。蒸発皿パイプ３２を出た配管は凝縮器２３に接続され、凝縮器２３を出た配管はドライヤ３３、ストレーナ３４を経た後、電子膨張弁から成る膨張弁（減圧装置）３６に接続されている。この膨張弁３６の出口は前記冷却器１４に接続され、冷却器１４の出口はアキュームレータ３７、逆止弁３８を経て圧縮機２２の吸込配管に接続されている。
【００３５】
圧縮機２２からディスーパヒータ３１に吐出された高温高圧のガス冷媒はディスーパヒータ３１で冷却された後、一旦圧縮機２２に戻り、内部を冷却する。そして、圧縮機２２の吐出配管から再び吐出されて蒸発皿パイプ３２に入り、放熱して蒸発皿２６内のドレン水を加熱する。この蒸発皿パイプ３２を経た冷媒は凝縮器２３に流入して凝縮器用送風機２４からの通風により冷却され、凝縮液化する。
【００３６】
凝縮器２３で凝縮した液冷媒は、ドライヤ３３、ストレーナ３４を次々に通過して膨張弁３６に至り、そこで減圧された後、冷却器１４に流入して蒸発する。このときの吸熱作用で冷気循環用送風機１８にて循環される陳列室８内の冷気を冷却する。冷却器１４で蒸発した冷媒はアキュームレータ３７、逆止弁３８を経て圧縮機２２に再び吸い込まれる循環を繰り返す。
【００３７】
また、図４において４１は陳列室８内の温度を検出する庫内温度センサであり、４２は圧縮機２２からディスーパヒータ３１に向かう冷媒の温度を検出する吐出ガスセンサである。また、４３は蒸発皿２６の温度を検出する蒸発皿センサ、４４、４５は冷却器１４の入口、出口の冷媒温度を検出するエバ入口センサ、エバ出口センサである。
【００３８】
これら各センサ４１〜４５は汎用マイクロコンピュータから構成される制御装置４６に接続されている。この制御装置４６は圧縮機２２の運転周波数を制御するインバータを内蔵しており、このインバータにより圧縮機２２の運転周波数を制御する。制御装置４６には更に前記膨張弁３６や各送風機１８、２４が接続されており、更に、蒸発皿２６の加熱を補助するための蒸発皿ヒータ（電気ヒータ）４７も接続されている。また、４８は各種設定や入力を行うためのスイッチや表示器が設けられたコントローラパネルであり、制御装置４６に接続されている。
【００３９】
以上の構成で、次に図５を参照しながら制御装置４６による低温ショーケース１の制御動作について説明する。図５は制御装置４６が実行するピークダウン制御を説明するタイミングチャートである。この図の横軸は時間軸であり、時間の経過に伴う陳列室８内の温度ＰＴ（棚１９上に陳列された商品の温度と見なすこともできる）と消費電力の変化を示している。また、実施例のピークダウン制御は後述する定常運転制御と低速運転制御から成る。
【００４０】
（１）定常運転制御
制御装置４６には、例えば昼の１２時〜１４時の間が電力ピーク時間帯として設定されている。また、例えば＋５℃等の陳列室８内の設定温度ＳＴと、この設定温度ＳＴよりも少許高い例えば＋７℃等の低速運転復帰温度ＲＴと、この低速運運転復帰温度ＲＴよりも更に高い例えば＋１０℃等の異常高温復帰温度ＨＲＴのデータが制御装置４６に設定され、制御装置４６はこれらの設定データを保有している。
【００４１】
そして、制御装置４６は上記電力ピーク時間帯以外の時間帯では、基本的に定常運転制御を実行する。この定常運転制御で制御装置４６は、庫内温度センサ４１が検出する陳列室８内の温度ＰＴと前記設定温度ＳＴとの偏差ｅに基づき、この偏差ｅを無くす方向のＰＩＤ制御により圧縮機２２の運転周波数を算出し、圧縮機２２の運転を制御する。この場合、制御装置４６は例えば３０Ｈｚを最低運転周波数ＭｉｎＨｚ、６０Ｈｚを最高運転周波数ＭａｘＨｚとし、このＭｉｎＨｚとＭａｘＨｚの間で圧縮機の運転周波数を変更する。
【００４２】
尚、圧縮機２２の運転周波数を最低運転周波数ＭｉｎＨｚとしても陳列室８内の温度ＰＴが設定温度ＳＴよりも低下してしまう場合、制御装置４６は圧縮機２２を停止するものとする。
【００４３】
また、制御装置４６はエバ入口センサ４４とエバ出口センサ４５の出力に基づいて膨張弁３６の弁開度を制御し、冷却器１４における冷媒の過熱度を適正値に調整する。尚、制御装置４６は冷気循環用送風機１８を連続運転すると共に、凝縮器用送風機２４は圧縮機２２の運転中に運転する。更に、蒸発皿センサ４３の出力に基づき、蒸発皿２６内のドレン水の温度が低い場合には蒸発皿ヒータ４７を発熱させる。
【００４４】
また、制御装置４６は定期的に、或いは、スイッチによる開始指令に基づいて冷却器１４の霜取運転を実行する。この霜取運転で制御装置４６は、圧縮機２２を停止し、冷気循環用送風機１８を運転して冷却器１４を所謂オフサイクル除霜する。係る霜取運転で生じた冷却器１４からのドレン水は蒸発皿２６に受容されて蒸発処理されることになる。このようにして、制御装置４６は定常運転制御中、陳列室８内の温度ＰＴが設定温度ＳＴとなるように圧縮機２２その他の機器を制御するものである。
【００４５】
（２）低速運転制御
一方、制御装置４６は前記電力ピーク時間帯（１２時〜１４時）は基本的に低速運転制御を実行するが、電力ピーク時間帯に入る前の時刻ｔ１（例えば１１時半等）から昼の１２時まで、陳列室８内の温度に拘わらず圧縮機２２の運転周波数を最高運転周波数ＭａｘＨｚ（６０Ｈｚ）に上昇させる高速運転制御を実行する。これにより、陳列室８内は強力に冷却されるので、陳列室８内の温度ＰＴは設定温度ＳＴよりも低下していき、所謂冷やしこみが行われる。尚、係る高速運転制御は、それに限らず、設定温度ＳＴを強制的に低下させることによって圧縮機２２の運転周波数を上昇させてもよい。
【００４６】
そして、時刻が１２時となり電力ピーク時間帯に入った時点で制御装置４６は係る高速運転制御を終了し、次に低速運転制御を開始する。この低速運転制御で制御装置４６は、陳列室８内の温度ＰＴに関わらず、圧縮機２２の運転周波数を最低運転周波数ＭｉｎＨｚ（３０Ｈｚ）に固定する。これにより、陳列室８内を冷却する冷凍能力は低下するので、通常の負荷の場合には陳列室８内の温度ＰＴは上昇に転ずるが、圧縮機２２の消費電力は低いものとなるので、電力ピーク時間帯における電力消費の削減（ピークダウン）を図ることができるようになる。
【００４７】
そして、電力ピーク時間帯が経過する昼の１４時となった時点で制御装置４６は係る低速運転制御を終了し、前述した定常運転制御に復帰する。このように制御装置４６は、電力ピーク時間帯（１２時〜１４時）において陳列室８内の温度ＰＴに拘わらず、圧縮機２２を最低運転周波数ＭｉｎＨｚにて運転する低速運転制御を実行するので、圧縮機２２の電力消費を低く抑えつつ、陳列室８内の最低限の冷却を行うことができるようになる。
【００４８】
これにより、外部からの空気の流入や陳列室８からの冷気の流出等、外部から影響の大きい低温ショーケース１において、電力ピーク時間帯における電力消費を削減しながら、陳列室８内の異常温度上昇を抑制し、陳列商品の品質に与える悪影響を未然に解消若しくは抑制することが可能となる。すなわち、電力ピーク時間帯においても陳列室８内の最低限の冷却を行うので、陳列室８内の温度と陳列商品の品温との急激な温度差が生じにくく、陳列商品の結露が生じにくくなる。
【００４９】
特に、この実施例では電力ピーク時間帯に入った時点で低速運転制御を開始する制御装置４６が、低速運転制御を開始する以前の時刻ｔ１から電力ピーク時間帯に入るまで、圧縮機２２の運転周波数を上昇させる高速運転制御を実行するので、低速運転制御に入る以前に陳列室８内の冷やしこみを行っておくことが可能となり、低速運転制御中における陳列室８内の温度上昇をより一層効果的に抑制することができるようになる。
【００５０】
また、低速運転制御中も蒸発皿２６を加熱する蒸発皿パイプ３２には高温冷媒が流れるので、低速運転制御中にも蒸発皿パイプ３２は加熱能力を発揮することになり、蒸発皿２６内のドレン水の処理能力が停止してしまうことが無くなり、最低限の処理能力を確保して、ドレン水の溢出を回避することができるようになる。
【００５１】
更に、前述した如く凝縮器用送風機２４は圧縮機２２の運転中は運転されるので、制御装置４６が低速運転制御を実行している間も凝縮器用送風機２４は運転される。従って、低速運転制御中も凝縮器２３や圧縮機２２、蒸発皿２６に設けられた蒸発部材２７にも通風が継続して行われるので、冷凍装置Ｒの冷凍能力を支障無く維持しながら、蒸発皿２６におけるドレン水の蒸発処理能力も維持して、ドレン水の溢出をより効果的に解消することができるようになる。
【００５２】
（２−１）軽負荷時の制御
尚、陳列室８内の負荷が少ない（軽負荷）場合は、圧縮機２２の最低運転周波数ＭｉｎＨｚによる運転でも、図５にＰＴ１（破線）で示すように低速運転制御開始からの陳列室８内の温度上昇は緩慢なものとなる。そのような場合は、１４時になって電力ピーク時間帯が経過した後も、陳列室８内の温度は低い状態が続いていることになり、係る状況ではそのまま低速運転制御を続けても陳列室８内の冷却に支障は生じない。
【００５３】
そこで、制御装置４６は電力ピーク時間帯が経過した時点（１４時）で陳列室８内の温度ＰＴ１が前述した低速運転復帰温度ＲＴまで上昇していない場合、低速運転制御を継続する。そして、例えば図５の時刻ｔ２で陳列室８内の温度ＰＴ１が低速運転復帰温度ＲＴに達した時点で定常運転に復帰する。このようにすることにより、電力ピーク時間帯が経過した後も、陳列室８内の温度が低速運転復帰温度ＲＴに上昇するまで低速運転制御を継続することができるようになり、より一層電力消費を削減することができるようになる。
【００５４】
（２−２）高負荷時の制御１
一方、陳列室８内の負荷が大きく、前述した高速運転制御によっても温度が下がらず、電力ピーク時間帯に入った時点（１２時）で陳列室８内の温度が低速運転復帰温度ＲＴ以上であった場合、制御装置４６はその日の低速運転制御をキャンセルし、開始しない。これにより、元々陳列室８内の温度が高い状況で低速運転制御が開始されてしまう不都合を未然に回避し、陳列室８内の異常温度上昇の発生を防止する。
【００５５】
（２−３）高負荷時の制御２
他方、圧縮機２２の低速運転制御を実行している電力ピーク時間帯中に、多量の商品が陳列室８内の棚１９上に補充されたような場合には、陳列室８内の負荷が増大するために、圧縮機２２の最低運転周波数ＭｉｎＨｚでは冷凍能力が大幅に不足し、陳列室８内の温度は図５にＰＴ２（破線）で示すように急激に上昇していくようになる。
【００５６】
そこで、制御装置４６は低速運転制御を実行している間に、陳列室８内の温度ＰＴ２が前述した異常高温復帰温度ＨＲＴまで上昇した場合、低速運転制御を終了して定常運転制御に復帰する。これにより、係る負荷増大時にも陳列室８内の温度ＰＴ２が異常に上昇して陳列商品の品質が劣化してしまう不都合を回避する。
【００５７】
尚、上記実施例では低速運転制御で圧縮機２２を最低運転周波数ＭｉｎＨｚ（３０Ｈｚ）で運転したが、それに限らず、最低運転周波数ＭｉｎＨｚよりも少許高い所定の低い運転周波数であってもよい。
【００５８】
また、上記実施例では電力ピーク時間帯に入って低速運転制御を開始する以前に、高速運転制御を実行して圧縮機２２の運転周波数を上昇させたが、請求項２以外の発明ではそれに限らず、図６に示すように係る高速運転制御による冷やしこみを実行しない低温ショーケースにも本発明は有効である。
【００５９】
更に、実施例では陳列室８が開放されたオープンショーケースにて本発明を説明したが、それに限らず、ガラス扉にて陳列室８の前面開口が開閉自在に閉塞される所謂クローズドタイプの低温ショーケースにも本発明は有効である。係るガラス扉は、断熱壁に比してどうしても断熱性能は低下する。そのため、オープンショーケースに比べれば小さくなるものの、断熱扉等にて閉塞されるタイプの冷却貯蔵庫や自動販売機の如く、庫内の周囲が全て断熱されているもの比して外部からの熱影響を大きく受けることになるからである。
【符号の説明】
【００６０】
１  低温ショーケース
８  陳列室
１４  冷却器
１８  冷気循環用送風機
２２  圧縮機
２３  凝縮器
２４  凝縮器用送風機
２６  蒸発皿
３２  蒸発皿パイプ
４１  庫内温度センサ
４６  制御装置
【図１】
2014062721.tif 000003
【図２】
2014062721.tif 000004
【図３】
2014062721.tif 000005
【図４】
2014062721.tif 000006
【図５】
2014062721.tif 000007
【図６】
2014062721.tif 000008
【図７】
2014062721.tif 000009